(57)【特許請求の範囲】
【請求項１】
台紙部材に印字媒体が貼付されロール状に巻かれた台紙部材付き印字媒体を、収容保持し、印字装置の部材保持部に着脱可能に装着される収容保持部と、
前記収容保持部に連設され、前記収容保持部と一体で前記部材保持部に着脱可能に装着される巻取り軸保持部と、
を有し、
前記印字装置は、前記部材保持部に保持された印字部と、前記部材保持部に着脱可能に装着される台紙巻取り軸部材と、を有し、
前記印字部は、前記部材保持部に装着された前記収容保持部から引き出された前記台紙部材付き印字媒体の前記印字媒体に印字を行い、
前記台紙巻取り軸部材は、前記印字部による印字がなされ前記印字媒体が剥離された前記台紙部材を、前記部材保持部に装着された状態で回転駆動されることで巻き取り、
前記巻取り軸保持部は、前記部材保持部から外された前記台紙巻取り軸部材を、着脱可能に保持し、
前記収容保持部は、前記部材保持部から外された前記台紙巻取り軸部材を保持した前記巻取り軸保持部と一体で、前記部材保持部に着脱可能である、印字媒体保持具。
【請求項２】
他の印字媒体保持具に連設または連結させる係合部を更に有する、請求項１に記載の印字媒体保持具。
【請求項３】
前記係合部は、他の印字媒体保持具に設けられた凹部及び凸部とそれぞれ嵌合する凸部及び凹部を有する、請求項２に記載の印字媒体保持具。
【請求項４】
前記巻取り軸保持部は、前記台紙巻取り軸部材の回転軸を着脱可能に保持する保持溝部を有する、請求項１ないし３のいずれか一項に記載の印字媒体保持具。
【請求項５】
前記巻取り軸保持部は、前記保持溝部からの前記回転軸の離脱を規制する軸規制部を有する請求項４に記載の印字媒体保持具。
【請求項６】
前記台紙巻取り軸部材は、前記収容保持部に収容保持された前記台紙部材付き印字媒体のロール状態から解放され且つ前記印字媒体が剥離された部分の台紙部材の自由端側を固定する固定部を有し、
前記台紙巻取り軸部材は、前記部材保持部に着脱可能に装着され、回転駆動されることにより、前記印字媒体が剥離された部分の台紙部材をロール状に巻き取る、請求項１ないし５のいずれか一項に記載の印字媒体保持具。
【請求項７】
前記収容保持部に連設された取っ手部を有する、請求項１ないし６のいずれか一項に記載の印字媒体保持具。
【請求項８】
前記取っ手部は、把持される取っ手本体部を有し、
前記取っ手部は、前記収容保持部の上方に前記取っ手本体部が位置し前記収容保持部を当該取っ手部が吊り下げ支持可能な第１の位置と、当該取っ手部が前記第１の位置に位置した場合に比べて前記収容保持部が下方に位置する第２の位置と、の間で回動可能に前記収容保持部に連結されている、請求項７に記載の印字媒体保持具。
【請求項９】
前記収容保持部に設けられ、前記第１の位置に位置して前記収容保持部を吊り下げ支持した状態の前記取っ手部に当接することで前記取っ手部の回動を規制する回動規制部を備える請求項８に記載の印字媒体保持具。
【請求項１０】
前記取っ手部に前記巻取り軸保持部が設けられている、請求項７ないし９のいずれか一項に記載の印字媒体保持具。
【請求項１１】
前記取っ手部に前記巻取り軸保持部が設けられており、
前記台紙巻取り軸部材が前記巻折り軸保持部に保持された状態で、前記台紙巻取り軸部材に巻き取られた前記台紙が前記収容保持部に収容保持された前記台紙部材付き印字媒体のロール部分に当接可能である請求項８または９に記載の印字媒体保持具。
【請求項１２】
部材保持部と、
台紙部材に印字媒体が貼付されロール状に巻かれた台紙部材付き印字媒体を収容保持する収容保持部、および前記収容保持部に連設された巻取り軸保持部を有し、前記部材保持部に着脱可能に装着される印字媒体保持具と、
前記部材保持部に保持され、前記部材保持部に装着された前記収容保持部から引き出された前記台紙部材付き印字媒体の前記印字媒体に印字を行う印字部と、
前記部材保持部に着脱可能に装着され、前記印字部による印字がなされ前記印字媒体が剥離された前記台紙部材を、前記部材保持部に装着された状態で回転駆動されることで巻き取る台紙巻取り軸部材と、
を備え、
前記巻取り軸保持部は、前記部材保持部から外された前記台紙巻取り軸部材を、着脱可能に保持し、
前記収容保持部は、前記部材保持部から外された前記台紙巻取り軸部材を保持した前記巻取り軸保持部と一体で、前記部材保持部に着脱可能である、印字装置。
【発明の詳細な説明】
【技術分野】
【０００１】
本発明の実施形態は、印字媒体保持具及び印字装置に関する。
【背景技術】
【０００２】
従来、ロール状に巻かれた台紙付きラベルの印字面に情報を印字し、情報を印字したラベルを台紙から剥離して発行するラベルプリンタが知られている。
【０００３】
ところで、この種のラベルプリンタを利用する利用形態では、ラベルプリンタで発行するラベルの種類を変更するために、使用途中の台紙付きラベルを取り出して、他の種類の台紙付きラベルに交換するケースがある。
【０００４】
一般的には、前記した従来のラベルプリンタにおける台紙付きラベルの交換作業としては、まず、利用者により、ラベルが剥離されて台紙巻取り軸にロール状に巻き取られている台紙が適当な場所で切断され、台紙巻取り軸に巻き取られた台紙が廃棄されるとともに、保持機構で保持されている使用途中のロール状の台紙付きラベルが取り出され、該取り出された台紙付きラベルが棚などの所定の保管場所に保管される。
【０００５】
続いて、利用者により、他の種類の台紙付きラベル、即ち、新品の他の台紙付きラベルまたは前記保管場所に保管されている他の使用途中の台紙付きラベルが、前記保持機構に保持されるとともに、その保持された台紙付きラベルの自由端側が引き出され、その自由端側が台紙巻取り軸に設けられた固定手段により台紙巻取り軸に固定される。
【発明の概要】
【発明が解決しようとする課題】
【０００６】
しかしながら、前記した従来の台紙付きラベルの交換作業は、利用者にとって煩わしく、交換効率の悪いものとなっていた。
【課題を解決するための手段】
【０００７】
実施形態の印字媒体保持具は、収容保持部と、巻取り軸保持部と、を有する。前記収容保持部は、台紙部材に印字媒体が貼付されロール状に巻かれた台紙部材付き印字媒体を、収容保持し、印字装置の部材保持部に着脱可能に装着される。前記巻取り軸保持部は、前記収容保持部に連設され、前記収容保持部と一体で前記部材保持部に着脱可能に装着される。前記印字装置は、前記部材保持部に保持された印字部と、前記部材保持部に着脱可能に装着される台紙巻取り軸部材と、を有する。前記印字部は、前記部材保持部に装着された前記収容保持部から引き出された前記台紙部材付き印字媒体の前記印字媒体に印字を行う。前記台紙巻取り軸部材は、前記印字部による印字がなされ前記印字媒体が剥離された前記台紙部材を、前記部材保持部に装着された状態で回転駆動されることで巻き取る。前記巻取り軸保持部は、前記部材保持部から外された前記台紙巻取り軸部材を、着脱可能に保持する。前記収容保持部は、前記部材保持部から外された前記台紙巻取り軸部材を保持した前記巻取り軸保持部と一体で、前記部材保持部に着脱可能である。
【図面の簡単な説明】
【０００８】
【図１】図１は、第１の実施形態に係るラベルプリンタの外観構成を説明するための斜視図である。
【図２】図２は、第１の実施形態に係るラベルプリンタの内部構成を説明するための斜視図である。
【図３】図３は、第１の実施形態に係るロール紙保持具の構成を説明するための斜視図である。
【図４】図４は、第１の実施形態に係る台紙巻取り軸の構成を説明するため斜視図である。
【図５】図５は、第１の実施形態に係るロール紙保持具及び台紙巻取り軸のラベルプリンタからの取り外しの様子を説明するための斜視図である。
【図６】図６は、第１の実施形態に係るロール紙保持具に台紙巻取り軸を保持させて、ロール紙が保管される様子を説明するための斜視図である。
【図７】図７は、第１の実施形態の変形例に係るロール紙保持具の構成を説明するための斜視図である。
【図８】図８は、第１の実施形態の変形例に係るロール紙保持具の保管状態を説明するための斜視図である。
【図９】図９は、第２の実施形態に係るラベルプリンタの内部構成を説明するための斜視図である。
【図１０】図１０は、第２の実施形態に係るロール紙保持具の構成を説明するための斜視図であって、取っ手部が第２の位置に位置した状態を示す図である。
【図１１】図１１は、第２の実施形態に係るロール紙保持具の構成を説明するための斜視図であって、取っ手部が第１の位置に位置した状態を示す図である。
【図１２】図１２は、第２の実施形態に係るロール紙保持具に台紙巻取り軸を保持させて、ロール紙が保管される様子を説明するための斜視図である。
【図１３】図１３は、第２の実施形態に係るロール紙保持具に台紙巻取り軸を保持させて、ロール紙が保管される様子を説明するための側面図である。
【図１４】図１４は、第２の実施形態に係るロール紙保持具及び台紙巻取り軸のラベルプリンタからの取り外しの様子を説明するための斜視図である。
【図１５】図１５は、第２の実施形態に係るロール紙保持具及び台紙巻取り軸のラベルプリンタへの収容の様子を説明するための斜視図である。
【図１６】図１６は、第３の実施形態に係るロール紙保持具の構成を説明するための斜視図であって、取っ手部が第２の位置に位置した状態を示す図である。
【発明を実施するための形態】
【０００９】
以下、実施形態について添付図面を参照して説明する。
【００１０】
以下では、実施形態の印字装置として、ロール状に巻かれた台紙付きラベルの印字面に情報を印字し、情報を印字したラベルを台紙から剥離して発行するラベルプリンタであって、商品を販売する店舗のバックヤードなどに設置され、商品名、値段、バーコードなどの商品に関連する商品情報を印字したラベルを発行するラベルプリンタの場合について説明する。
【００１１】
また、以下の説明では、ラベルプリンタ１の、正面側を「前」、背面側を「後」といい、ラベルプリンタ１の「左」および「右」は、ラベルプリンタ１を正面側から見たときのものである。
【００１２】
［第１の実施形態］
まずは、第１の実施形態を説明する。図１は、本実施形態に係るラベルプリンタ１の外観構成を説明するための斜視図であり、図２は、ラベルプリンタ１の内部構成を説明するための斜視図である。
【００１３】
図１、図２に示すように、このラベルプリンタ１は、上側ユニット２と下側ユニット３とから構成されている。上側ユニット２は、その後側が支持機構（不図示）により下側ユニット３に支持され、下側ユニット３の上方側で回動開閉自在となっている。そして、下側ユニット３の前部に前壁部材８ｆが設けられている。前壁部材８ｆは、その下部が支持機構（不図示）により回動可能に支持され、下側ユニット３の前方側で回動開閉自在になっている。
【００１４】
なお、前壁部材８ｆの上端と上側ユニット２との間には、商品情報を印字したラベルＬを外部に排出するためのラベル発行口３ａが設けられている。
【００１５】
このラベルプリンタ１の内部には、長尺状の台紙（台紙部材）Ｍに複数のラベルＬを列状に仮着（貼付）したもの（以下、単に「台紙付きラベル」と言う場合がある。）がロール状に巻かれたロール紙（台紙部材付き印字媒体）ＲＰを、収容保持するロール紙保持具（印字媒体保持具）４と、ロール紙保持具４で保持されたロール紙ＲＰから台紙付きラベルを引き出してラベル発行口３ａの方向（搬送方向）に搬送するプラテンローラなどを含む搬送機構５と、プラテンローラとともに台紙付きラベル（台紙部材付き印字媒体）を挟持するとともに、ラベルＬの印字面に情報を印字するサーマルヘッドなどを含む印字ヘッド機構（印字部）６と、印字ヘッド機構６で印字されたラベルＬが剥離された部分の台紙Ｍを巻き取る台紙巻取り機構７などが設けられている。また、ラベルプリンタ１は、当該ラベルプリンタ１の骨格を構成して上述の各部を保持する部材保持部８を備える。
【００１６】
以下、前記した各構成要素部４〜８の詳細について説明する。
【００１７】
部材保持部８は、上側ユニット２に設けられたカバー部８ａと、下側ユニット３に設けられた上面開口の箱状の基体部８ｂと、を有する。カバー部８ａは、基体部８ｂの上面開口を開閉可能に基体部８ｂの後端部に回動可能に連結されている。基体部８ｂは、上面開口の箱状に形成されている。詳細には、基体部８ｂは、矩形板状の底壁部８ｃと、この底壁部８ｃの両側縁部に立設された左右一対の側壁部８ｄと、底壁部８ｃの後縁部に立設された背壁部８ｅと、一対の側壁部８ｄに回動可能に連結された前壁部材（フロントパネル）８ｆと、を有している。前壁部材８ｆは、一対の側壁部８ｄの下端部に、軸などの支持機構を介して回動可能に連結されている。
【００１８】
部材保持部８は、ロール紙保持具４を着脱可能に保持する保持具保持部８ｇと、後述する台紙巻取り軸（台紙巻取り軸部材）７１を着脱可能に保持する巻取り軸保持部７２と、を有する。保持具保持部８ｇは、基体部８ｂの後部において底壁部８ｃ、左右一対の側壁部８ｄ、および背壁部８ｅ等によって構成されている。保持具保持部８ｇは、上面が開口されている。保持具保持部８ｇは、その内部がロール紙保持具４を収容する収容空間Ｓ１となっている。
【００１９】
ロール紙保持具４は、部材保持部８の保持具保持部８ｇに対して着脱可能に装着される器具である。ロール紙保持具４は、下側ユニット３の収容空間Ｓ１に収容されてラベルプリンタ１の部材保持部８に装着された場合には、ロール紙ＲＰを収容保持するための保持機構として機能する。ロール紙保持具４は、上側ユニット２が開かれた状態で、下側ユニット３の収容空間Ｓ１から取り出された場合には、店舗内の棚などの保管場所において、載置面の傾斜などによって使用途中のロール紙ＲＰを自転させることなく安定して保管するための保管部材として機能する。
【００２０】
図３は、ロール紙保持具４の構成を説明するための斜視図である。
【００２１】
図３に示すように、ロール紙保持具４は、利用者に投入されたロール紙ＲＰを収容保持する収容保持部４１と、台紙巻取り機構７の台紙巻取り軸（台紙巻取り軸部材）７１を着脱可能に保持する巻取り軸保持部４２とを主体に構成される。
【００２２】
より具体的には、収容保持部４１は、底部材４１Ａと、その底部材４１Ａから立設された前後左右の壁部材４１Ｂ〜４１Ｅとで構成され、上方に開口したロール紙投入口４１ａが形成されるとともに、そのロール紙投入口４１ａから投入されたロール紙ＲＰを収容する収容空間Ｓ２が形成されている。
【００２３】
なお、ロール紙投入口４１ａ及び収容空間Ｓ２は、利用者による一つのロール紙ＲＰの投入が可能なサイズ、即ち、ロール紙ＲＰをその回転軸が横（左右方向）になるようにして投入できるサイズに形成されている。
【００２４】
また、前記したロール紙投入口４１ａ及び収容空間Ｓ２は、このラベルプリンタ１で利用可能な数種類のロール紙ＲＰに対応したサイズとなっている。
【００２５】
また、巻取り軸保持部４２は、部材保持部８から外された台紙巻取り軸部材７２を、着脱可能に保持するものである。巻取り軸保持部４２は、左右の壁部材４１Ｄ、４１Ｅの後端から後方側にそれぞれ延設され、更に、延設された部分の上端が、左右の壁部材４１Ｄ、４１Ｅの上端よりも上方に延設された相対向する２つの支持板部材４２Ｄ、４２Ｅで構成され、それら各支持板部材４２Ｄ、４２Ｅの上端に、内面がＵ字形状の一対の巻取り軸保持溝４２ｄ、４２ｅが形成されている。
【００２６】
なお、本実施形態では、巻取り軸保持溝４２ｄ、４２ｅに挿入された台紙巻取り軸７１の回動軸７１Ｄ、７１Ｅ（図４参照）を固く嵌合するように、巻取り軸保持溝４２ｄ、４２ｅの溝幅が寸法設計されている。
【００２７】
また、前記したような溝幅の寸法設計以外にも、巻取り軸保持溝４２ｄ、４２ｅに挿入された台紙巻取り軸７１の回動軸７１Ｄ、７１Ｅ（図４参照）をロックするロック機構を追加的に設けることも可能である。
【００２８】
また、本実施形態では、巻取り軸保持溝４２ｄ、４２ｅの形状がＵ字形状である場合について説明したが、これ以外の形状とすることも可能である。
【００２９】
更に、壁部材４１Ｂ〜４１Ｅや支持板部材４２Ｄ、４２Ｅなどの高さ寸法は、収容されるロール紙ＲＰ及び台紙巻取り軸７１のサイズに基づいて、ロール紙ＲＰを安定して収容保持したり、台紙巻取り軸７１を安定して保持したりする目的に応じて適切に設計される。
【００３０】
図２に戻って、搬送機構５は、プラテンローラと、モータ（不図示）などを有し、プラテンローラをモータにより回転駆動することにより、台紙付きラベルを搬送するための搬送手段である。
【００３１】
印字ヘッド機構（印字部）６は、発熱体（不図示）を有するサーマルヘッドと、サーマルヘッド駆動部(不図示)などを有し、サーマルヘッドをサーマルヘッド駆動部により駆動することにより、台紙付きラベルの印字面に情報を印字するための印字手段である。印字ヘッド機構６は、部材保持部８のカバー部８ａに固定されている。
【００３２】
台紙巻取り機構７は、台紙巻取り軸７１と、その台紙巻取り軸７１を保持する巻取り軸保持部７２などを有し、ラベルＬが剥離された台紙Ｍを巻き取る台紙巻取り手段である。
【００３３】
ここで、巻取り軸保持部７２は、前壁部材８ｆの内側面の下端寄りに取り付けられており、左右に、相対向する二つの円弧状の側壁７２Ａ、７２Ｂを有し、それら二つの側壁７２Ａ、７２Ｂの円周側に、一対のＵ字形状の巻取り軸保持溝７２ａ、７２ｂが形成されている。
【００３４】
なお、この巻取り軸保持部７２は、前壁部材８ｆとともに回動されるようになっており、巻取り軸保持部７２に台紙巻取り軸７１が保持された状態で、前壁部材８ｆが閉じられる、即ち、図１の状態になると、その巻取り軸保持部７２に保持された台紙巻取り軸７１の従動ギアＧ（図４参照）が、収容空間Ｓ１に設けられている駆動ギアやモータなどの巻取り駆動機構（不図示）に係合されるようになっている。
【００３５】
図４は、台紙巻取り軸７１の構成を説明するための斜視図である。
【００３６】
図４に示すように、台紙巻取り軸７１は、回転駆動力を付与されて回転することによって台紙Ｍを巻き付ける基体７１Ａと、その基体７１Ａに巻き付けられる台紙Ｍの自由端側を固定する固定部７１Ｂと、基体７１Ａの一側方の面に取り付けられ、当該基体７１Ａに巻き付けられる台紙Ｍの一側方を案内する円盤状のフランジ７１Ｃなどを有している。固定部７１Ｂは、基体７１Ａに対して着脱可能となっており、基体７１Ａとの間で台紙Ｍを挟み込むことで台紙Ｍの自由端側を固定する。この固定部７１Ｂと基体７１Ａとは、円筒部材を構成している。
【００３７】
また、基体７１Ａの両側側面には、巻取り軸保持部７２に回動自在に保持される同一径の回動軸７１Ｄ、７１Ｅが設けられており、更に、フランジ７１Ｃの円周面には、前記した巻取り駆動機構の駆動ギアに係合される従動ギアＧが形成されている。
【００３８】
また、図１及び図２に示したラベルプリンタ１の内部には、前記した構成以外にも、前記した搬送機構５、印字ヘッド機構６及び巻取り駆動機構などの駆動制御や、印字ヘッド機構６の発熱体の発熱制御に係る処理を実行するためのＣＰＵ（Ｃｅｎｔｒａｌ  Ｐｒｏｃｅｓｓｉｎｇ  Ｕｎｉｔ）（不図示）、ＲＯＭ（Ｒｅａｄ  Ｏｎｌｙ  Ｍｅｍｏｒｙ）（不図示）、ＲＡＭ（Ｒａｎｄｏｍ  Ａｃｃｅｓｓ  Ｍｅｍｏｒｙ）（不図示）などで構成されるマイクロコンピュータや、その他の各種回路（不図示）や、商用電源などの外部電源（不図示）からの電力を駆動系などの各負荷部に供給する電力供給装置（不図示）などが設けられている。
【００３９】
次に、前記した構成のラベルプリンタ１で使用された使用途中のロール紙ＲＰを保管する場合と、その保管された使用途中のロール紙ＲＰを再利用する場合について図５及び図６を用いて説明する。
【００４０】
図５は、ロール紙保持具４及び台紙巻取り軸７１のラベルプリンタ１からの取り外しの様子を説明するための斜視図であり、図６は、ロール紙保持具４に台紙巻取り軸７１を保持させて、ロール紙ＲＰが保管される様子を説明するための斜視図である。
【００４１】
図５に示すように、本実施形態のラベルプリンタ１では、上側ユニット２及び前壁部材８ｆが開放された状態において、ロール紙保持具４及び台紙巻取り軸７１と、それらに巻架保持されるロール紙ＲＰの全て（以下、単に「着脱可能部材」という場合がある。）が、同一方向、即ち、図５では、上方向に取り出すことが可能なレイアウト構成を採用している。
【００４２】
このため、ラベルの種類を変更するなどで、使用途中のロール紙ＲＰを保管する場合には、従来のように、台紙Ｍをハサミなどで切断することなく、利用者により、前記した着脱可能部材を上方向に取り出すことができる。
【００４３】
具体的には、利用者は、２つの支持板部材４２Ｄ、４２Ｅを挟持してロール紙保持具４を取り出して、ラベルプリンタ１が設置される台上などに載置するとともに、台紙巻取り軸７１の基体７１Ａなどを挟持して巻取り軸保持部７２から取り外し、その取り外した台紙巻取り軸７１の回転軸７１Ｄ、７１Ｅを、前記載置したロール紙保持具４の巻取り軸保持溝４２ｄ、４２ｅに嵌合させて巻取り軸保持部４２に保持させる（図６（ａ）、図６（ｂ）参照）。続いて、利用者は、その状態のロール紙保持具４を店舗内の棚などの所定の保管場所に保管する。
【００４４】
なお、図６（ａ）の保管状態は、巻取り軸保持部７２から取り外した台紙巻取り軸７１に、ロール紙ＲＰのロール状態から解放された部分をロール状態に戻すように巻き付け、その台紙巻取り軸７１を、巻取り軸保持部４２に保持させた場合の保管状態を示している。
【００４５】
また、一方、図６（ｂ）の保管状態は、ロール紙ＲＰのロール状態から解放された部分をそのままにした状態の台紙巻取り軸７１を、巻取り軸保持部４２に保持させた場合の保管状態を示している。
【００４６】
一方、前記のようにして保管された使用途中のロール紙ＲＰを再利用する場合には、前記した保管の手順とは逆の手順を行うことにより、ラベルプリンタ１にセットすることができる。
【００４７】
具体的には、利用者は、例えば、図６（ｂ）の状態で保管されているロール紙保持具４を、保管場所から持参して前記台上に載置し、その載置したロール紙保持具４の台紙巻取り軸７１の基体７１Ａなどを挟持して、その台紙巻取り軸７１を巻取り保持部４２から外して、ラベルプリンタ１に設けられた巻取り軸保持部７２に保持させる。
【００４８】
続いて、利用者は、ロール紙保持具４の２つの支持板部材４２Ｄ、４２Ｅを挟持して、そのロール紙保持具４を下側ユニット３の収容空間Ｓ１に収容する。
【００４９】
即ち、従来では、保管場所に保管されている使用途中の台紙付きラベルを再利用する場合に、当該使用途中の台紙付きラベルの自由端側を固定手段で台紙巻取り軸に固定させるという面倒な作業が必要であったが、本実施形態のラベルプリンタ１では、前記したような面倒な作業が不要となるので、台紙付きラベルの交換作業の効率を良くすることができる。
【００５０】
次に、前記したロール紙保持具４の変形例について図７及び図８を用いて説明する。
【００５１】
図７は、変形例に係るロール紙保持具（印字媒体保持具）４Ｘの構成を説明するための斜視図である。なお、以下の説明では、図３に示したロール紙保持具４と同様の構成については同一の符号を付し、説明を省略する。
【００５２】
図７に示すように、このロール紙保持具４Ｘは、図３に示したロール紙保持具４と相違する構成として、他のロール紙保持具４Ｘと連結するための連結部（係合部）４３が設けられている。
【００５３】
具体的には、連結部４３は、他のロール紙保持具４Ｘに設けられた凹部４３ｅ〜４３ｈと嵌合する凸部４３ａ〜４３ｄと、同じく他のロール紙保持具４Ｘに設けられた凸部４３ａ〜４３ｄと嵌合する凹部４３ｅ〜４３ｈを有している。
【００５４】
なお、この例では、凸部４３ｃが、支持板部材４２Ｄの上端の後方寄りに設けられ、凸部４３ｄが、支持板部材４２Ｅの上端の後方寄りに設けられている。
【００５５】
また、凸部４３ａが、壁部材４１Ｄの上端の前方寄りでその上端より上方に立設された支持板部材４４Ａの上端の後方寄りに設けられ、凸部４３ｂは、壁部材４１Ｅの上端の前方寄りでその上端より上方に立設された支持板部材４４Ｂの上端の後方寄りに設けられている。
【００５６】
なお、本実施形態では、ロール紙保持具４Ｘの前方側、即ち、２つの支持板部材４４Ａ、４４Ｂで挟まれる部分を、ロール紙保持具４Ｘがラベルプリンタ１にセットされた状態で、そのロール紙保持具４Ｘの収容保持部４１に収容されたロール紙ＲＰの台紙付きラベルの搬送の邪魔にならないように開放した形態としているが、これに限らず、２つの支持板部材４４Ａ、４４Ｂ間で挟まる部分を塞ぐような形態とすることも可能である。
【００５７】
即ち、図７に示したような構成のロール紙保持具４Ｘによれば、保管場所において、ロール紙保持具４Ｘを上下方向に重ねて載置することができるので、保管場所のスペースを有効に利用することが可能である。
【００５８】
以上説明した本実施形態によれば、台紙巻取り軸７１に巻き取られている台紙Ｍごと使用途中のロール紙ＲＰを保管することができるので、次回の再利用時に、使用途中のロール紙ＲＰの自由端側を固定部で固定する作業が不要になり、使用途中のロール紙ＲＰを簡単にセットすることができるので、利用者のロール紙交換作業を容易化することができる。
【００５９】
また、本実施形態によれば、特に、ロール紙ＲＰの種類（即ち、ラベルの種類）を頻繁に交換する利用形態におけるラベルプリンタの使い勝手の向上を図ることができる。
【００６０】
また、本実施形態によれば、ロール紙保持具４、４Ｘを重ねて保管できるので、保管場所の設置スペースを有効に利用することができる。
以上、例示的な実施形態に基づいて説明したが、本発明は、前記した実施形態により限定されるものではない。
【００６１】
なお、前記した実施形態では、投入式（投げ込み式）のロール紙保持具４、４Ｘの場合について説明したが、これ以外にも、例えば、ロール紙ＲＰの軸を支持する保持軸が設けられたロール紙保持具とすることも可能である。
【００６２】
また、前記した実施形態では、利用者が２つの支持板部材４２Ｄ、４２Ｅを挟持することで、下側ユニット３の収容空間Ｓ１から取り出すことができるロール紙保持具４、４Ｘの場合について説明したが、これ以外にも、例えば、ロール紙保持具４、４Ｘの前後の壁部材４１Ｂ、４１Ｃに、利用者が把持できる専用の取っ手部を設けたロール紙保持具４、４Ｘとすることも可能である。
【００６３】
また、前記した実施形態では、他のロール紙保持具４Ｘと係合させる係合部として、凸部４３ａ〜４３ｄ及び凹部４３ｅ〜４３ｈから構成される連結部４３を示したが、これ以外にも、例えば、単に、他のロール紙保持具４Ｘを連設するための係合部を設けるような形態とすることも可能である。具体的には、例えば、他のロール紙保持具４Ｘを載置するための平面部を、４つの支持板部材４２Ｄ、４２Ｅ、４４Ａ、４４Ｂの上端にそれぞれ設ける。
【００６４】
また、前記した係合部は、ロール紙保持具４Ｘの上下方向以外にも、左右方向に設けられるようにしても良い。
【００６５】
また、前記した実施形態では、ロール紙として、長尺状の台紙Ｍに複数のラベルＬを列状に仮着した台紙付きラベルをロール状に巻いたロール紙ＲＰを利用する場合について説明したが、これ以外にも、例えば、長尺状の台紙Ｍに長尺状のラベルを仮着した台紙付きラベルをロール状に巻いたロール紙を利用することも可能である。なお、そのような場合には、ラベルプリンタ１に台紙Ｍから剥離されたラベルＬを所定長でカットするカット機構を設ける。
【００６６】
また、前記した実施形態では、印字ヘッド機構６の設置スペースの確保、及び、上側ユニット２及び下側ユニット３のサイズを縮小化を考慮して、好ましい形態として、支持板部材４２Ｄ、４２Ｅを、ロール紙保持具４、４Ｘの後方側に設ける形態について説明したが、これ以外にも、例えば、ロール紙保持具４、４Ｘの前方側や、略中央付近などに設けるようにすることも可能である。
【００６７】
その他、前記した実施形態におけるラベルプリンタ１の形状及び構成や、ロール紙保持具４、４Ｘ及び台紙巻取り軸７１の形状及び構成などは単なる例として記載したものであり、本発明は、これらにより限定されない。
【００６８】
［第２の実施形態］
次に、第２の実施形態を説明する。なお、上述した実施形態と同様の構成要素には共通の符号を付与するとともに、重複する説明を省略する。
【００６９】
本実施形態は、図９に示すように、ロール紙保持具１０４が第１の実施形態のロール紙保持具４に対して異なる。
【００７０】
ロール紙保持具１０４は、図１０ないし図１３に示すように、収容保持部４１に連設された取っ手部１４５を有する。取っ手部１４５は、収容保持部４１に回動可能に連結されている。取っ手部１４５は、持ち上げられることによって、収容保持部４１を吊り上げ支持可能となっている。
【００７１】
取っ手部１４５は、左右一対の側板部１４５ａと、これら一対の側板部１４５ａ間に掛け渡された取っ手本体部１４５ｂと、を有している。取っ手本体部１４５は、左右方向に細長い板状に形成されている。
【００７２】
一対の側板部１４５ａは、収容保持部４１の一対の側板部材４１Ｅを間に挟む位置に配置されている。各側板部１４５ａは、側面視が略扇状の基部１４５ｃと、この基部１４５ｃの弧状外周部から延出した接続部１４５ｄと、を有しており、接続部１４５ｄの延出先端部に取っ手本体部１４５ｂの端部が接続されている。
【００７３】
各側板部１４５ａの基部１４５ｃは、その扇形状の中心部近傍部分が支軸としてのねじ部材１４６によって収容部保持部４１の側板部材４１Ｅに回動可能に取り付けられている。これにより、取っ手部１４５は、収容保持部４１に回動可能に連結されている。詳細には、取っ手部１４５は、第１の位置（図１１）と、第２の位置（図１０）との間で回動可能となっている。第１の位置は、収容保持部４１の上方に取っ手本体部１４５ｂが位置し収容保持部４１を取っ手部１４５が吊り下げ支持可能な位置である。第２の位置は、取っ手部１４５が第１の位置に位置した場合に比べて収容保持部４１が下方に位置する位置である。
【００７４】
また、ロール紙保持具１０４は、回動規制部としてのねじ部材１４７を備える。ねじ部材１４７は、第１の位置に位置して収容保持部４１を吊り下げ支持した状態の取っ手部１４５に当接することで取っ手部１４５の回動を規制するものである。詳細には、ねじ部材１４７は、側板部１４５ｃに設けられた係合部１４５ｅに係合している。この係合部１４５ｅには、円弧状の長孔１４５ｆが形成されている。長孔１４５ｆは、取っ手部１４５の回動中心であるねじ部材１４６を中心とした円弧状に形成されている。そして、ねじ部材１４７が、長孔１４５ｆに挿通された状態で、収容部保持部４１の側板部材４１Ｅに螺着している。ねじ部材１４７は、取っ手部１４５が第１の位置と第２の位置との途中の位置に位置している場合には、係合部１４５ｅにおける長孔１４５ｆの周面には当接しておらず、取っ手部１４５の回動を許容する。一方、ねじ部材１４７は、取っ手部１４５が第１の位置に位置した状態では、長孔１４５ｆの周面の一端部１４５ｇに当接して、取っ手部１４５が第１の位置から第２の位置側とは反対側へ向けて移動しようとするのを規制する。また、ねじ部材１４７は、取っ手部１４５が第２の位置に位置した状態では、長孔１４５ｆの周面の他端部１４５ｈに当接して、取っ手部１４５が第２の位置から第１の位置側とは反対側へ向けて移動しようとするのを規制する。
【００７５】
ここで、取っ手部１４５の回動支点であるねじ部材１４６は、収容保持部４１の重心よりも前方に位置している。これにより、使用者が取っ手部１４５を持ち上げたときに、ねじ部材１４７が、長孔１４５ｆの周面の一端部１４５ｇに常に当接するようになっている。これにより、使用者が、取っ手部１４５を用いてロール紙保持具１０４を安定して持ち上げられるようになっている。
【００７６】
また、本実施形態では、取っ手部１４５に巻取り軸保持部１４２が設けられている。巻取り軸保持部１４２の左右の壁部材４１Ｄ、４１Ｅは、それぞれロール紙保持具１０４の左右一対の側板部１４５ｃに一体に設けられている。巻取り軸保持部１４２は、取っ手部１４５が第１の位置に位置した状態では、ロール紙保持具１０４の前後方向でロール紙ＲＰの中心部の前方に位置する。に巻取り軸保持部１４２これらの壁部材４１Ｄ、４１Ｅには、第１の実施形態と同様に、内面がＵ字形状の巻取り軸保持溝４２ｄ、４２ｅが形成されている。巻取り軸保持溝４２ｄ、４２ｅは、その開口部４２ｆから底部までが縦長の直線状に形成されている。
【００７７】
ここで、取っ手部１４５が第１の位置に位置した状態では、巻取り軸保持溝４２ｄ、４２ｅは、ロール紙保持具１０４の前後方向でねじ部材１４６の前方に位置する。そして、本実施形態では、台紙巻取り軸部材７１が巻折り軸保持部１４２に保持された状態で、台紙巻取り軸部材７１に巻き取られた台紙Ｍが収容保持部４１に収容保持されたロール紙ＲＰのロール部分ＲＰ１の外周面に当接可能である。
【００７８】
次に、前記した構成のラベルプリンタ１で使用された使用途中のロール紙ＲＰを保管する場合と、その保管された使用途中のロール紙ＲＰを再利用する場合について図９、図１４、図１５等を用いて説明する。
【００７９】
図１４は、本実施形態に係るロール紙保持具１０４及び台紙巻取り軸７１のラベルプリンタ１からの取り外しの様子を説明するための斜視図、図１５は、本実施形態に係るロール紙保持具１０４及び台紙巻取り軸７１のラベルプリンタ１への収容の様子を説明するための斜視図である。
【００８０】
本実施形態では、図９に示すように、ロール紙保持具１０４は、取っ手部１４５が第２の位置に位置した状態で、保持具保持部８ｇに収容保持される。このような状態のロール紙保持具１０４からロール紙ＲＰの台紙Ｍが台紙巻取り軸７１に固定されることで、ラベルプリンタ１が使用可能となる。
【００８１】
ロール紙保持具１０４を保持具保持部８ｇから取り外す場合、利用者は、図１５に示すように、ロール紙保持具１０４の取っ手部１４５を第１の位置に移動させ、第１の位置に位置した取っ手部１４５を把持してロール紙保持具１０４を持ち上げて保持具保持部８ｇから取り外す。この際、使用者は、台紙巻取り軸７１を巻取り軸保持部７２から取り外す。そして、使用者は、巻取り軸保持部７２を、ロール紙保持具１０４の巻取り軸保持部１４２に装着する（図１２、図１３）。この状態で、使用者は、ロール紙保持具１０４を保管することとなる。
【００８２】
一方、使用者は、ロール紙保持具１０４を部材保持部８に装着する際には、図１５に示すように、ロール紙保持具１０４を保持具保持部８ｇに収容するとともに、巻取り軸保持部１４２から取り外した台紙巻取り軸７１を巻取り軸保持部７２に装着する。これにより、使用途中のロール紙ＲＰを再利用することができる。
【００８３】
以上説明したとおり、本実施形態では、ロール紙保持具１０４が、図１０ないし図１３に示すように、収容保持部４１に連設された取っ手部１４５を有する。したがって、利用者は、保持具保持部８ｇに対してのロール紙保持具１０４の着脱の際に、取っ手部１４５を把持してロール紙保持具１０４を移動させることができる。よって、本実施形態によれば、使用者が、保持具保持部８ｇに対してのロール紙保持具１０４の着脱を容易に行える。
【００８４】
［第３の実施形態］
次に、第３の実施形態を説明する。なお、上述した実施形態と同様の構成要素には共通の符号を付与するとともに、重複する説明を省略する。
【００８５】
本実施の形態は、図１６に示すように、ロール紙保持具２０４の取っ手部２４５が、軸規制部２４９を有する点が第２の実施形態に対して異なる。
【００８６】
軸規制部２４９は、一対の側板部１４５ｃのそれぞれに設けられている。軸規制部２４９は、保持溝部４２ｄ、４２ｅの開口部４２ｆから離間してその開口部４２ｆを覆う張り出し形状に形成されている。軸規制部２４９は、開口部４２ｆの出口方向を変更している。軸規制部２４９は、保持溝部４２ｄ、４２ｅからの回動軸７１Ｄ、７１Ｅの離脱を回動軸７１Ｄ、７１Ｅとの当接によって規制するものである。この軸規制部２４９は、保持溝部４２ｄ、４２ｅの延在方向に沿った方向への開口部４２ｆからの回動軸７１Ｄ、７１Ｅの直線移動を、回動軸７１Ｄ、７１Ｅとの当接によって規制する。一方、軸規制部２４９は、保持溝部４２ｄ、４２ｅの開口部４２ｆからの移動方向を例えば９０度屈曲しての回動軸７１Ｄ、７１Ｅの移動は許容する。これにより、保持溝部４２ｄ、４２ｅへの回動軸７１Ｄ、７１Ｅの挿脱は、直線移動だけでは不可であるが、移動方向の屈曲を行えば可能となっている。
【００８７】
以上の構成の本実施形態では、ロール紙保持具２０４の取っ手部２４５が、軸規制部２４９を有する。したがって、本実施形態によれば、軸規制部２４９によって、保持溝部４２ｄ、４２ｅからの回動軸７１Ｄ、７１Ｅの離脱を規制することができる。
【００８８】
以上説明したとおり、上記各実施形態によれば、利用者のロール紙交換作業を容易化することができる。
【符号の説明】
【００８９】
１  ラベルプリンタ（印字装置）
２  上側ユニット
３  下側ユニット
４  ロール紙保持具（印字媒体保持具）
６  印字ヘッド機構（印字部）
８  部材保持部
４１  収容保持部
４２  巻取り軸保持部
４２ｄ、４２ｅ  巻取り軸保持溝（保持溝部）
４３  連結部（係合部）
４３ａ〜４３ｄ  凸部
４３ｅ〜４３ｈ  凹部
５  搬送機構
６  印字ヘッド機構
７  台紙巻取り機構
７１  台紙巻取り軸（台紙巻取り軸部材）
７２  巻取り軸保持部
１４５  取っ手部
１４５ｂ  取っ手本体部
１４７  ねじ部材（回動規制部）
ＲＰ  ロール紙（台紙部材付き印字媒体）
Ｍ  台紙（台紙部材）
Ｌ  ラベル
【先行技術文献】
【特許文献】
【００９０】
【特許文献１】特開２００１−１９２１５４号公報
【特許文献２】特開２００７−１０６５６２号公報
【図１】
0005412449.tif 000002
【図２】
0005412449.tif 000003
【図３】
0005412449.tif 000004
【図４】
0005412449.tif 000005
【図５】
0005412449.tif 000006
【図６】
0005412449.tif 000007
【図７】
0005412449.tif 000008
【図８】
0005412449.tif 000009
【図９】
0005412449.tif 000010
【図１０】
0005412449.tif 000011
【図１１】
0005412449.tif 000012
【図１２】
0005412449.tif 000013
【図１３】
0005412449.tif 000014
【図１４】
0005412449.tif 000015
【図１５】
0005412449.tif 000016
【図１６】
0005412449.tif 000017